(57)【要約】      （修正有）【課題】梱包作業が簡単で、緩衝性が高く運搬中に感知器を保護し、梱包を解いた場合の廃棄物の発生も少ない梱包袋を提供する。【解決手段】梱包袋１０は、内袋１２と外袋１４の柔軟な二重袋構造をもつ。内袋１２は一端に開口１６が形成され、外袋１４は内袋１２の外側を覆って設けられると共に内袋１２の開口１６の外側周縁に沿って密着固定され、内袋１２との間に空気が充填される緩衝層３６が形成される。内袋１２の開口１６に開閉自在な封止部１８が設けられ、封止部１８による内袋１２の密閉閉鎖状態で、逆止弁２４を備えた排気口２２から空気を排気させて梱包している物品に密着させ、充填口２２から空気を充填して膨らませ、緩衝層３６を形成させる。【選択図】図１
2020175925.tif 000002
【特許請求の範囲】
【請求項１】
少なくとも一端に開口された柔軟な内袋と、
前記内袋の外側を略覆うように収容し、前記内袋との間に気体が充填される緩衝層が形成される柔軟な外袋と、
前記内袋の開口に設けられた開閉自在な封止部と、
前記封止部による前記内袋の封止状態で前記内袋内から気体を排気させ、外部から前記内袋内への通気を止める逆止弁を備えた排気口と、
前記外袋内の前記緩衝層に外部から前記外袋内へ気体を充填させ、前記緩衝層から外部への通気を止める逆止弁を備えた充填口と、
を備えたことを特徴とする梱包袋。
【請求項２】
請求項１記載の梱包袋に於いて、
前記内袋を収納するために設けられた前記外袋の開口及び、又は、前記内袋の前記排気口を外部に取り出すために設けられた前記外袋の開口を、前記内袋と密着固定したこと特徴とする梱包袋。
【請求項３】
請求項１又は２に記載の梱包袋に於いて、前記外袋は、前記内袋を収納するために設けられた前記外袋の開口及び前記内袋の前記排気口を外部に取り出すために設けられた前記外袋の開口以外の１又は複数個所で、前記内袋の外側に密着又は連結されたことを特徴とする梱包袋。
【請求項４】
請求項１乃至３に記載の梱包袋に於いて、前記外袋に気泡緩衝シートを備えたことを特徴とする梱包袋。
【請求項５】
請求項１乃至４に記載の梱包袋に於いて、前記内袋及び又は前記外袋は、透明、半透明の何れかとしたことを特徴とする梱包袋。
【請求項６】
請求項１乃至５に記載の梱包袋に於いて、前記内袋及び前記外袋は、矩形状、巾着状、又は、梱包する物品に対応した所定形状としたことを特徴とする梱包袋。
【請求項７】
請求項１乃至６に記載の梱包袋に於いて、前記外袋の厚みに対し前記内袋の厚みを薄くしたことを特徴とする梱包袋。
【発明の詳細な説明】
【技術分野】
【０００１】
本発明は、火災感知器等のなどの物品を梱包する梱包袋に関する。
【背景技術】
【０００２】
従来、火災感知器等を設置場所に向けて出荷する場合、火災感知器のサイズに合わせて個装箱を準備し、個装箱に入れた後に、まとめ箱にまとめて出荷するようにしている。
【０００３】
また、火災感知器を個装箱に入れる場合には、型紙や発泡スチロールで作られた緩衝材にセットして入れ、運搬中の衝撃に耐えられるようにしている。
【０００４】
更に、火災感知器の防塵カバーを兼ねた梱包部材として、感知器収容部に火災感知器が収容された状態の梱包部材同士を嵌合して連結するものがあり、多数の梱包部材を簡単に連結し、個装箱に入れる場合に比べコストの低減と廃棄物の量を減らすことができるようにしている（特許文献１）。
【先行技術文献】
【特許文献】
【０００５】
【特許文献１】特開２００５−２９８０３５号公報
【発明の概要】
【発明が解決しようとする課題】
【０００６】
しかしながら、このような従来の梱包は、火災感知器を一つ一つ個装箱に入れているため、個数が多くなれば梱包に時間を要し、個装箱も大量に必要となり、個装箱を在庫管理するために広い保管場所をとられる問題がある。
【０００７】
また、出荷先となる設置場所では、個装箱から火災感知器を取り出して設置することから、梱包に使われた個装箱や緩衝材が大量の廃棄物となり、また箱をつぶして片付けるのに手間と時間がかかる。
【０００８】
また、梱包部材同士を連結するものにあっては、連結する作業に手間がかかり、また連結強度はそれほど大きくないことから、まとめ箱に収納して運搬するには緩衝材をセットする必要がある。
【０００９】
本発明は、梱包作業が簡単で、緩衝性が高く運搬中に感知器を保護し、梱包を解いた場合の廃棄物の発生も少ない梱包袋を提供することを目的とする。
【課題を解決するための手段】
【００１０】
（梱包袋）
本発明は、梱包袋に於いて、少なくとも一端に開口された柔軟な内袋と、内袋の外側を略覆うように収容し、内袋との間に気体が充填される緩衝層が形成される柔軟な外袋と、内袋の開口に設けられた開閉自在な封止部と、封止部による内袋の封止状態で内袋内から気体を排気させ、外部から内袋内への通気を止める逆止弁を備えた排気口と、外袋内の緩衝層に外部から外袋内へ気体を充填させ、緩衝層から外部への通気を止める逆止弁を備えた充填口と、を備えたことを特徴とする。
【００１１】
（外袋と内袋開口との密着）
また、本発明は、内袋を収納するために設けられた外袋の開口及び、又は、内袋の排気口を外部に取り出すために設けられた外袋の開口を、内袋と密着固定したこと特徴とする。
【００１２】
（内袋と外袋の密着又は連結）
また、本発明は、外袋は、内袋を収納するために設けられた外袋の開口及び内袋の排気口を外部に取り出すために設けられた外袋の開口以外の１又は複数個所で、内袋の外側に密着又は連結されたことを特徴とする。
【００１３】
（気泡緩衝シート）
また、本発明は、外袋に気泡緩衝シートが備えられる。
【００１４】
（梱包袋の透明性）
また、本発明は、内袋及び又は外袋は、透明、半透明の何れかとする。
【００１５】
（袋形状）
また、本発明は、内袋及び外袋は、矩形状、巾着状、又は、梱包する物品に対応した所定形状とする。
【００１６】
（内袋と外袋の厚み）
外袋の厚みに対し内袋の厚みを薄くする。
【発明の効果】
【００１７】
（基本的な効果）
本発明は、梱包袋に於いて、少なくとも一端に開口された柔軟な内袋と、内袋の外側を略覆うように収容し、内袋との間に気体が充填される緩衝層が形成される柔軟な外袋と、内袋の開口に設けられた開閉自在な封止部と、封止部による内袋の封止状態で内袋内から気体を排気させ、外部から内袋内への通気を止める逆止弁を備えた排気口と、外袋内の緩衝層に外部から外袋内へ気体を充填させ、緩衝層から外部への通気を止める逆止弁を備えた充填口と、を備えたため、内袋内に火災感知器等の物品を入れて封止部を閉じ、この状態で排気口から内袋内の空気を抜いて物品の外側に内袋を密着させ、続いて、外袋と内袋の間に空気を充填して膨らませることで緩衝層が形成され、これにより個装作業が終了し、これを複数まとめ、例えばまとめ箱に詰めて出荷することにより、火災感知器等の物品を一つ一つ緩衝材にセットして個装箱に箱詰めする場合に比べ、梱包作業が簡単となり、また、梱包袋をシート状に畳まれた状態で保管できるので、保管場所も省スペース化できる。
【００１８】
また、物品の搬送中は、内袋を覆うように形成された外袋の緩衝層がエアーバッグとして機能し、梱包している物品の損傷を確実に防止できる。
【００１９】
また、搬送先で梱包を解いた場合にも、使用済みの梱包袋が廃棄物となるが、緩衝層の空気を抜けば簡単にシート状に戻り、ごみの容量が低減する。また、比較的容易に再利用可能となる。
【００２０】
（外袋と内袋開口との密着固定による効果）
また、内袋を収納するために設けられた外袋の開口及び、又は、内袋の排気口を外部に取り出すために設けられた外袋の開口を、内袋と密着固定したため、外袋と内袋の間に空気を充填して膨らませることで確実に緩衝層が形成できる。
【００２１】
（内袋と外袋の密着又は連結による効果）
また、外袋は、内袋を収納するために設けられた外袋の開口及び内袋の排気口を外部に取り出すために設けられた外袋の開口以外の１又は複数個所で、内袋の外側に密着又は連結されたため、外袋内に空気を充填して緩衝層として膨らませた場合、内袋と外袋の密着部分又は連結部分が窪み、その周囲が膨らんだ緩衝セルが複数形成され、外袋の中に緩衝層を介して、内袋に密着収納された物品が浮動状態で支持され、これにより高い緩衝性が得られ、物品の損傷が確実に防止できる。
【００２２】
（気泡緩衝シートによる効果）
また、外袋に気泡緩衝シートを備えた場合には、気泡緩衝シートの緩衝効果が相乗し、更に高い緩衝性が得られる。
【００２３】
（梱包袋の透明性による効果）
また、内袋及び又は外袋は、透明、半透明の何れかとすることにより、例えば、内袋及び外袋を透明とすることで、梱包している物品が何であるかを、また、梱包状態を外部から確認でき、また、例えば、内袋を不透明とし外袋を透明又は半透明とした場合には、まとめ箱に詰める前の状態、又は段ボール箱から出した状態での太陽光等の外光による物品の劣化を低減可能としつつ、外袋を介して内袋に密着収納された物品の梱包状態を確認できる。
【００２４】
（袋形状による効果）
また、内袋及び外袋は、矩形状、巾着状、又は、梱包する物品に対応した所定形状とすることで、矩形状や巾着状とした場合は、収納する物品によらない汎用的な梱包に使用でき、また、梱包する物品に対応した所定形状の袋状とすることで、物品の形状やサイズに最適な梱包を可能とする。
【００２５】
（内袋と外袋の厚みの効果）
また、外袋の厚みに対し内袋の厚みを薄くするようにしたため、内袋は薄くして柔軟性を高め、外袋は厚くして剛性を高めることができる。
【図面の簡単な説明】
【００２６】
【図１】梱包袋の実施形態を示した説明図
【図２】梱包袋の内袋と外袋を分離して示した説明図
【図３】図１の梱包袋による火災感知器の梱包状態を示した説明図
【図４】内袋と外袋をストライプ密着部により連結させた梱包袋の実施形態を示した説明図
【図５】図４の梱包袋による火災感知器の梱包状態を示した説明図
【図６】内袋と外袋をスポット密着部により連結させた梱包袋の実施形態を示した説明図
【図７】外袋に気泡緩衝シートを設けた梱包袋の実施形態を示した説明図
【発明を実施するための形態】
【００２７】
［梱包袋の構造］
図１は包袋の実施形態を示した説明図であり、図１（Ａ）に外観を示し、図１（Ｂ）に断面を示す。図２は梱包袋の内袋と外袋を分離して示した説明図である。
【００２８】
図１に示すように、本実施形態の梱包袋１０は、内袋１２と外袋１４の二重袋構造としている。内袋１２は一端に開口（袋口）１６が形成された柔軟な矩形袋状であり、開口１６には封止部１８が設けられている。封止部１８は２本の帯板部材の一方に二条の突起を設けると共にこれに相対する他方に二条の溝が形成され、スライダ２０の閉鎖方向への移動により突起が溝に嵌合して開口１６を閉鎖し、スライダ２０の開放方向への移動により突起が溝から外れて開口１６を開放させる。また、内袋１２の底部側には逆止弁２４を備えた排気口２２が取り出されている。
【００２９】
外袋１４は、内袋１２よりサイズの大きな柔軟な矩形状であり、初期の状態において側部辺には後述する充填口２６を除いて開口が無く、上部辺（袋口）とそれに対向する底部辺は開口している。そして、底部開口からは逆止弁２４を備えた内袋１２の排気口２２が取り出されている。
【００３０】
外袋１４の袋口からは、内袋１２の開口１６を外部に取出しており、一方、外袋１４の底部開口からは、逆止弁２４を備えた内袋の排気口２２を外部に取り出すようにしている。このように内袋１２を外袋１４に略収容して配置した状態で、外袋の袋口辺に沿って密着部３０を形成して外袋１４と内袋１２を帯状に密着固定すると共に、内袋１２の排気口２２を外部に取り出した外袋１４の底部辺に沿って密着部３２を形成して外袋１４と内袋１２を帯状に密着固定することで、外袋１４の袋口と底部端が封止され、内袋１２との間に気体（本実施形態では空気）の充填で膨らむ緩衝層３６が形成される。
【００３１】
なお、逆止弁２４を備えた内袋１２の排気口２２の外袋１４の外側への取出しは、底部以外に例えば袋口又は側部からとしても良く、この場合、密着部３０に加え、外袋１４から内袋１２の排気口２２を取り出す取出部分（外袋の側部辺）に別の密着部を形成して密着させる。更に底部辺にも密着部３２を形成して良い。
【００３２】
なお、外袋１４から内袋１２の排気口２２を取り出すための外袋１４の取り出し口（開口）は、これを設ける外袋１４の端辺の長さより短くても良い。この場合、密着部もこれに対応して当該取り出し口を封止できる長さであれば良い。
【００３３】
また、密着部は少なくとも外袋における袋口および内袋１２の排気口２２の取り出し口を封止できればよく、取り出し口の密着部は外袋１４と内袋１２を密着固定することを必須としない。
【００３４】
ここで、内袋１２及び外袋１４の材料としては、ポリエチレン、ポリプロピレン等のポリオレフィン樹脂、ポリ塩化ビニールやポリ塩化ビニリデン等の薄膜シートとしており、内袋１２は梱包する物品に密着させることから柔軟性の高いポリエチレン、ポリプロピレン等のポリオレフィン樹脂とし、また、外袋１４は強度を必要とすることから、ポリ塩化ビニールやポリ塩化ビニリデン等とする。また、例えば同じ材料の場合でも、内袋１２を薄くして柔軟性を高め、外袋１４は厚くして剛性を高めても良い。
【００３５】
内袋１２は外袋１４に覆われたれた状態で、内袋１４の後方から外袋１４との密着部３２を介して排気口２２が取り出されている。排気口２２は内袋１２の中に火災感知器等の梱包対象物品を収納して封止部１８を閉じた状態で、適宜の吸引機器を使用して内袋１２内の空気を吸いだして排出させ、梱包する物品の外側に内袋１２を密着させる。
【００３６】
排気口２２には逆止弁２４が設けられており、逆止弁２４は内袋１２の内部から外部に対する空気の流れは通過させ、外部から内袋１２の内部に対する空気の流れは遮断する。このため、排気口２２に吸引機器を接続して内袋１２内の空気を吸いだして排出させ、吸引後に吸引機器を排気口２２から外しても内袋１２の中に空気が入ることがなく、内袋１２の物品に対する密着状態が維持される。
【００３７】
また、外袋１４は側方から充填口２６が取り出されている。充填口２６は外袋１４内であって内袋１２と外袋１４との間の空間に、コンプレッサー等からの加圧ホースを接続して加圧空気を充填して膨らませることにより、緩衝層３６を膨張形成させる。
【００３８】
充填口２６には逆止弁２８が設けられており、外袋１４の外部から内部に対する空気の流れは通過させ、内部から外部に対する空気の流れは遮断する。このため、充填口２６に加圧ホースを接続して圧縮空気を充填し、充填後に加圧ホースを充填口２６から外しても、緩衝層３６の加圧空気が外部に流出することはなく、緩衝層３６の膨張状態が維持される。
【００３９】
逆止弁２４，２８としては、開閉方向を所定の一方向としたベローズ弁体を設けても良いし、例えば、排気口２２や充填口２６を排気、充填後に熱圧着により密閉させるものであっても良い。また、充填口２６からの空気の充填は、加圧ホース等を使用した加圧空気の充填以外に、作業者が空気を吹き込んで風船のように膨らませるだけでも良い。
【００４０】
図２に内袋１２と外袋１４を分離して示すように、外袋１４は一端に開口１４ａが形成された柔軟な矩形袋状であり、側方に逆止弁２８付きの充填口２６が設けられている。内袋１２は、外袋１４の開口１４ａから内部に入れることのできる小さいサイズとなる柔軟な矩形袋状であり、開口１６にスライダ２０により開閉される封止部１８が設けられ、また底部側に逆止弁２４付きの排気口２２が設けられている。
【００４１】
図１に示した梱包袋１０の製造にあっては、図２に示す内袋１２と外袋１４を個別に製造した後に、外袋１４の中に内袋１２を入れ、図１に示したように、袋口辺と底部辺の２箇所を帯状に熱圧着などにより密着させて密着部３０，３２を形成する。なお、内袋１２と外袋１４の二重袋構造をもつ梱包袋１０の製造は、必要に応じて適宜の製造手順をとることができ、製造方法による限定はない。
【００４２】
［梱包袋により火災感知器の梱包］
図３は図１の梱包袋による火災感知器の梱包状態を示した説明図である。図２に示すように、図１に示した梱包袋１０を使用して例えば火災感知器４０を梱包する場合には、開口１６から内袋１２の中に火災感知器４０を収納し、スライダ２０により封止部１８を閉じる。
【００４３】
続いて、吸引機器の吸引ホースを排気口２２に接続し、内袋１２内の空気を吸引して排出させると、図３に示すように、火災感知器４０の周囲に内袋１２が密着された状態となる。
【００４４】
続いて、充填口２６にエアコンプレッサー等からの加圧ホースを接続して加圧空気を充填させると、内袋１２と外袋１４の間に加圧空気が充填されて外袋１４が膨らみ、内袋１２が密着された火災感知器４０の周囲に緩衝層３６が膨張形成され、外力に対しエアーバッグとして機能する。
【００４５】
このように個装したものを複数まとめ、まとめ箱に詰めて出荷することにより、火災感知器４０を一つ一つ緩衝材にセットして個装箱に箱詰めする場合に比べ、梱包作業が簡単となり、また、梱包袋をシート状に畳まれた状態で保管できるので、保管場所も省スペース化できる。
【００４６】
また、火災感知器４０の搬送中は、外袋１４内の内袋１２を覆うように形成された緩衝層３６がエアーバッグとして機能し、梱包している火災感知器４０の損傷を確実に防止できる。
【００４７】
また、搬送先で梱包を解いた場合にも、使用済みの梱包袋が廃棄物となるが、緩衝層３６の空気を抜けば簡単にシート状に戻り、ごみの容量が低減される。また、一度使用した梱包袋１０は再使用が可能であり、資源の有効利用を図ることができる。
【００４８】
［ストライプ密着部を備えた梱包袋の実施形態］
図４は内袋と外袋をストライプ密着部により連結させた梱包袋の実施形態を示した説明図であり、図４（Ａ）に外観を示し、図４（Ｂ）に断面を示す。
【００４９】
図４に示すように、本実施形態の梱包袋１０は、内袋１２と外袋１４からなる二重袋構造である点は図１の実施形態と同じであるが、更に、内袋１２と外袋１４の袋本体同士を、例えば２本のストライプ密着部３８を設けて密着固定したことを特徴とする。
【００５０】
このように内袋１２と外袋１４の袋本体の合わせ部分にストライプ密着部３８を設けた場合には、図５に示すように、内袋１２内に火災感知器４０を収納して吸引排気後に、内袋１２と外袋１４の間に充填口２６から加圧空気を充填させると、外袋１４はストライプ密着部３８による内袋１２との密着部分を除く部分が外側に膨らみ、複数の緩衝セル３４をもつ緩衝層３６が形成され、複数の蒲鉾状の緩衝セル３４により火災感知器４０を外袋１４の中に浮動状態で支持させ、且つ圧縮空気で膨張している複数の緩衝セル３４により分散状態で支持しており、衝撃等の外力の加わった場合に、複数の緩衝セル３４が変形して外力を複数点で分散して吸収することで、緩衝性を更に高めることができる。
【００５１】
［スポット密着部を備えた梱包袋の実施形態］
図６は内袋と外袋をスポット密着部により連結させた梱包袋の実施形態を示した説明図である。図６に示すように、本実施形態の梱包袋１０は、内袋１２と外袋１４からなる二重袋構造とした点は図１の実施形態と同じであるが、更に、内袋１２と外袋１４の袋本体同士を、例えば複数のスポット密着部４２を設けて密着固定したことを特徴とする。
【００５２】
このように内袋１２と外袋１４を密着固定するスポット密着部４２を設けた場合には、内袋１２内に火災感知器４０を収納して吸引排気した後に、内袋１２と外袋１４の間に充填口２６から加圧空気を充填させると、外袋１４はスポット密着部３８による内袋１２との密着部分を除く部分が外側に膨らみ、複数の半球状の緩衝セルが連通するように形成された緩衝層３６となり、これにより火災感知器４０を外袋１４の中に浮動状態で支持させることができ、且つ圧縮空気で膨張している複数の緩衝セルにより分散状態で支持しており、衝撃等の外力の加わった場合に、複数の緩衝セルが変形して外力を複数点で分散して吸収することで、緩衝性を更に高めることができる。
【００５３】
［発泡緩衝シートを用いた梱包袋の実施形態］
図７は外袋に気泡緩衝シートを設けた梱包袋の実施形態を示した説明図である。図７に示すように、本実施形態の梱包袋１０は、内袋１２と外袋１４からなる二重袋構造とした点は図１の実施形態と同じであるが、更に、外袋１４は内側に多数の気泡を有する気泡緩衝シート４６を備えている。
【００５４】
このように外袋１４に気泡緩衝シート４６を備えることで、内袋１２と外袋１４の間に加圧空気を充填しなくとも、外袋１４の内側に設けた気泡緩衝シート４６の緩衝機能により、衝撃等の外力の加わっても収納している火災感知器を損傷することはない。
【００５５】
また、本実施形態においても、内袋１２と外袋１４の間に加圧空気を充填して緩衝層を形成しても良く、この場合には、強い外力が加わって外袋１４が大きく凹んでも、緩衝気泡シート４６による緩衝機能と加圧空気による緩衝機能が相乗して更に高い緩衝性が確保できる。
【００５６】
［本発明の変形例］
（内袋と外袋を密着しない梱包袋）
本発明による梱包袋の他の実施形態として、内袋１２と外袋１４は、それぞれ開閉自在な封止部を設けた個別の、また内袋１２には逆止弁２４付きの排気口２２を設け、外袋１４には逆止弁２８付きの充填口２６を設ける。外袋１４には排気口２２の取り出し口を設けず、排気口２２は外袋１４内に収納されるようにしても良い。物品の梱包作業は、内袋１２に物品を入れて封止部を閉じ、排気口２２から空気を吸引して物品に密着させ、この状態で内袋１２を外袋１４に入れて封止部を閉じ、充填口２６から加圧空気を充填して膨らませ、緩衝層を膨張形成させる。
【００５７】
（梱包袋の透明性）
上記の実施形態に示した梱包袋は、内袋及び又は外袋は、透明、半透明の何れかとしても良い。例えば、内袋及び外袋を透明とすることで、梱包している物品が何であるか、また、その梱包状態を外部から確認でき、また、例えば、内袋を不透明とし外袋を透明又は半透明とした場合には、まとめ箱に詰める前の状態、又はまとめ箱から出した状態での太陽光等の外光による物品の劣化を低減可能としつつ、外袋を介して内袋に密着収納された物品の梱包状態を確認できる。
【００５８】
（袋形状）
上記の実施形態は、梱包袋を構成する内袋及び外袋として矩形状とした場合を例にとっているか、これに限定されず、巾着状、又は、梱包する物品に対応した所定形状としても良い。梱包袋を構成する内袋及び外袋を、矩形状や巾着状とした場合は、比較的、物品によらない汎用的な梱包に使用でき、また、梱包する物品に対応した所定形状とすることで、物品の形状やサイズに対し最適な影響されることなく、梱包を可能とする。
【００５９】
（内袋と外袋の連結）
上記の実施形態は、内袋と外袋をストライプ密着部やスポット密着部により部分的に密着固定させることで、外袋と内袋の間に空気を充填して膨らませた場合に、外袋の中に内袋を浮動状態で支持させているが、内袋と外袋の間をテープ状の連結部材で部分的に連結させるようにしても良い。また、内袋と外袋の密着固定には接着剤を用いても良い。
【００６０】
（その他）
また、本発明は、その目的と利点を損なうことのない適宜の変形を含み、更に、上記の実施形態に示した数値による限定は受けない。
【符号の説明】
【００６１】
１０：梱包袋
１２：内袋
１４：外袋
１６：開口
１８：封止部
２０：スライダ
２２：排気口
２４，２８：逆止弁
２６：充填口
３０，３２：密着部
３６：緩衝層
３８：ストライプ密着部
４０：火災感知器
４２：スポット密着部
４６：緩衝気泡シート
【図１】
2020175925.tif 000003
【図２】
2020175925.tif 000004
【図３】
2020175925.tif 000005
【図４】
2020175925.tif 000006
【図５】
2020175925.tif 000007
【図６】
2020175925.tif 000008
【図７】
2020175925.tif 000009
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
少なくとも一端に開口された柔軟な内袋と、
前記内袋の外側を略覆うように収容し、前記内袋との間に気体が充填される緩衝層が形成される柔軟な外袋と、
前記内袋の開口に設けられた開閉自在な封止部と、
前記封止部による前記内袋の封止状態で前記内袋内から気体を排気させ、外部から前記内袋内への通気を止める逆止弁を備えた排気口と、
前記外袋内の前記緩衝層に外部から前記外袋内へ気体を充填させ、前記緩衝層から外部への通気を止める逆止弁を備えた充填口と、
を備えたことを特徴とする梱包袋。
【請求項２】
請求項１記載の梱包袋に於いて、
前記内袋を収納するために設けられた前記外袋の開口及び、又は、前記内袋の前記排気口を外部に取り出すために設けられた前記外袋の開口を、前記内袋と密着固定したこと特徴とする梱包袋。
【請求項３】
請求項１又は２に記載の梱包袋に於いて、前記外袋は、前記内袋を収納するために設けられた前記外袋の開口及び前記内袋の前記排気口を外部に取り出すために設けられた前記外袋の開口以外の１又は複数個所で、前記内袋の外側に密着又は連結されたことを特徴とする梱包袋。
【請求項４】
請求項１乃至３に記載の梱包袋に於いて、前記外袋に気泡緩衝シートを備えたことを特徴とする梱包袋。
【請求項５】
請求項１乃至４に記載の梱包袋に於いて、前記内袋及び又は前記外袋は、透明、半透明の何れかとしたことを特徴とする梱包袋。
【請求項６】
請求項１乃至５に記載の梱包袋に於いて、前記内袋及び前記外袋は、矩形状、巾着状、又は、梱包する物品に対応した所定形状としたことを特徴とする梱包袋。
【請求項７】
請求項１乃至６に記載の梱包袋に於いて、前記外袋の厚みに対し前記内袋の厚みを薄くしたことを特徴とする梱包袋。
【請求項８】
内袋と外袋を用いた梱包方法であって、
前記内袋は、少なくとも一端に開口された柔軟な袋であり、
前記外袋は、前記内袋の外側を略覆うように前記内袋を収容し、前記内袋との間に気体が充填される緩衝層が形成される柔軟な袋であり、
所定の物品を梱包するときに、
前記内袋の前記開口から前記内袋内に前記物品を入れて前記開口を閉じ、
前記外袋に前記内袋を収納した状態で、前記外袋の緩衝層に空気を充填して膨らませることを特徴とする梱包方法。
【請求項９】
内袋と外袋を用いた梱包方法であって、
前記内袋は、少なくとも一端に開口された柔軟な袋であり、
前記外袋は、前記内袋の外側を略覆うように収容し、前記内袋との間に気体が充填される緩衝層が形成される柔軟な袋であり、
所定の物品を梱包するときに、
前記内袋の前記開口から前記内袋内に前記物品を入れて前記開口を閉じ、
前記内袋内への通気を止める逆止弁を備えた排気口から前記内袋内の空気を抜いて前記物品の外側に前記内袋を密着させ、
前記外袋に前記内袋を収納した状態で、外部への通気を止める逆止弁を備えた充填口から前記外袋の緩衝層に空気を充填して膨らませることを特徴とする梱包方法。
【手続補正３】
【補正対象書類名】明細書
【補正対象項目名】０００１
【補正方法】変更
【補正の内容】
【０００１】
本発明は、火災感知器等のなどの物品を梱包する梱包袋及び梱包方法に関する。
【手続補正４】
【補正対象書類名】明細書
【補正対象項目名】０００９
【補正方法】変更
【補正の内容】
【０００９】
本発明は、梱包作業が簡単で、緩衝性が高く運搬中に感知器を保護し、梱包を解いた場合の廃棄物の発生も少ない梱包袋及び梱包方法を提供することを目的とする。
【手続補正５】
【補正対象書類名】明細書
【補正対象項目名】００１７
【補正方法】変更
【補正の内容】
【００１７】
（内袋と外袋の厚み）
外袋の厚みに対し内袋の厚みを薄くする。
（梱包方法）
本発明の別の形態は、梱包方法であって、
内袋は、少なくとも一端に開口された柔軟な袋であり、
外袋は、内袋の外側を略覆うように収容し、内袋との間に気体が充填される緩衝層が形成される柔軟な袋であり、
所定の物品を梱包するときに、
内袋の開口から内袋内に物品を入れて開口を閉じ、
外袋に内袋を収納した状態で、外袋の緩衝層に空気を充填して膨らませることを特徴とする。
また、本発明の別の形態は、梱包方法であって、
内袋と外袋を用いた梱包方法であって、
内袋は、少なくとも一端に開口された柔軟な袋であり、
外袋は、内袋の外側を略覆うように収容し、内袋との間に気体が充填される緩衝層が形成される柔軟な袋であり、
所定の物品を梱包するときに、
内袋の開口から内袋内に物品を入れて開口を閉じ、
内袋内への通気を止める逆止弁を備えた排気口から内袋内の空気を抜いて物品の外側に内袋を密着させ、
外袋に内袋を収納した状態で、外部への通気を止める逆止弁を備えた充填口から外袋の緩衝層に空気を充填して膨らませることを特徴とする。
【手続補正６】
【補正対象書類名】明細書
【補正対象項目名】００２５
【補正方法】変更
【補正の内容】
【００２５】
（内袋と外袋の厚みの効果）
また、外袋の厚みに対し内袋の厚みを薄くするようにしたため、内袋は薄くして柔軟性を高め、外袋は厚くして剛性を高めることができる。
（梱包方法の効果）
本発明の梱包方法によれば、前述した梱包袋と同様な効果が得られる。